(57)【要約】【課題】  前方から観賞する観賞者に対して炎の後ろ姿を複数個の光源として映し出す機能をもつ蝋燭用燃焼補助具及び当該補助具付き蝋燭を新規に提供することを目的とする。【解決手段】  前方から観賞する観賞者に対して炎の後ろ姿を複数個の光源として映し出す鏡面部材を蝋燭用燃焼補助具に、燃焼補助具の内面と蝋燭本体の外面との間に挿み込んで止める挿込部及び燃焼補助具の外面とで鏡面部材の下縁個所を挿み押える挿押部から形成され装着体を用いて着脱自在に取付け、この蝋燭用燃焼補助具を蝋燭本体の上端に嵌着したものである。【選択図】        図６
0003116178.tif 000002
【実用新案登録請求の範囲】
【請求項１】
前方から観賞する観賞者に対して炎の後ろ姿を複数個の光源として映し出す鏡面部を備えたことを特徴とする蝋燭用燃焼補助具。
【請求項２】
蝋燭が燃焼により短くなるに従い下降して溶融蝋の垂れを防止する形式の蝋燭用燃焼補助具に関し、前方から観賞する観賞者に対して炎の後ろ姿を複数個の光源として映し出す鏡面部を備えたことを特徴とする蝋燭用燃焼補助具。
【請求項３】
上記鏡面部は、鏡面が複数の傾斜面若しくは凹凸鏡面をもつことを特徴とする請求項１又は２記載の蝋燭用燃焼補助具。
【請求項４】
上記鏡面部は、任意に交換して使用しうる多数種類の鏡面部材の装着により構成されたことを特徴とする請求項１〜３のいずれか１つに記載の蝋燭用燃焼補助具。
【請求項５】
上記鏡面部材は、その下縁個所を挿み押える挿押部と燃焼補助具本体の内面、蝋燭本体の外面間に挿み込んで止める挿込部とから形成されたバネ材製の装着体により、燃焼補助具本体に対して装着されたことを特徴とする請求項２〜４のいずれか１つに記載の蝋燭用燃焼補助具。
【請求項６】
上記装着体は、挿込部及び挿押部が線条弾性材の折曲加工によりて構成されたことを特徴とする請求項５記載の蝋燭用燃焼補助具。
【請求項７】
上記装着体は、板バネ材を二つ折りにしてその一方辺側が挿込部とされ他方辺側が挿押部とされたことを特徴とする請求項５記載の蝋燭用燃焼補助具。
【請求項８】
請求項２〜７に係る蝋燭用燃焼補助具を蝋燭本体の上端部に装着されて成ることを特徴とする蝋燭。
【考案の詳細な説明】
【技術分野】
【０００１】  本考案は、蝋燭を置いて用いる蝋燭用燃焼補助具、蝋燭が短くなるに伴い同蝋燭に案内されながら自動的（若しくは人為的）に下降することにより溶融蝋の垂れを防止する蝋燭用燃焼補助具及び当該補助具付き蝋燭に関する。具体的には、前方から観賞する観賞者に対して炎の後ろ姿を複数個の光源として映し出す機能をもつようにし、これにより炎のアピール度を高め豪華且つ綺麗に見えるべくした蝋燭用燃焼補助具及び当該補助具付き蝋燭に関する。
【背景技術】
【０００２】  そもそも蝋燭は、自身の燃焼熱で芯の付け根の蝋を溶融し、この溶融した蝋を芯の毛管現象により吸い上げて燃焼させるものである。しかしながら、溶融した蝋の全部が燃焼に使用されずに蝋燭本体を伝わって垂れ落ちてしまう。これは非常に不経済であるだけでなく、見た目にも汚く、特に蝋燭をインテリアデザイン用品の一つとして利用する傾向が強くなってきている最近の動向を考える場合、溶融した蝋の垂れ落ちないようにすることが望ましい。【０００３】  そこで、本考案者は、先に「特許文献１」に示すような、蝋燭用燃焼補助具を提供し、上記溶融蝋の垂れ落ちを完全に防止することに成功した。【０００４】  一方、お祝い事、その他のイベントなどでは、人目を引いて話題になるような商品が望まれ、その要望は依然多く、待望されている。【０００５】  上記要望に応える蝋燭も多数提供されている。その例を挙げると、直接光による模様と間接光による模様を組み合わせて立体的なシルエットを作るようにされた蝋燭（特許文献２参照）や、花火蝋燭（特許文献３及び４参照）が知られている。【０００６】  しかしながら、これら従前知られている蝋燭は、構成が複雑で製造の困難性があり、経済性、利便性、安全性、保存性等に問題があった。
【特許文献１】特開２００３−２９７１４２号公報
【特許文献２】特開２００３−２８０５６０号公報
【特許文献３】特開平１０−３６８８１号公報
【特許文献４】特開平８２６９４８０号公報
【考案の開示】
【考案が解決しようとする課題】
【０００７】  本考案は、上記のような諸問題点を一挙に解消できる新規の蝋燭用燃焼補助具及び当該補助具付き蝋燭、具体的には、溶融蝋の垂れ落ちを防止する機能を維持したままで、前方から観賞する観賞者に対して炎の後ろ姿を複数個の光源として映し出す機能をもつ蝋燭用燃焼補助具及び当該補助具付き蝋燭を新規に提供することを目的とする。
【課題を解決するための手段】
【０００８】  上記目的を達成するために、請求項１に係る蝋燭用燃焼補助具は、前方から観賞する観賞者に対して炎の後ろ姿を複数個の光源として映し出す鏡面部を備えたことを特徴とし、請求項２に係る蝋燭用燃焼補助具は、蝋燭が短くなるに従って同蝋燭に案内されながら自動的（若しくは人為的）に下降することにより溶融蝋の垂れを防止する蝋燭用燃焼補助具に関し、前方から観賞する観賞者に対して炎の後ろ姿を複数個の光源として映し出す鏡面部材を備えたことを特徴とする。【０００９】  従って、鑑賞者が炎を観賞しているときには、芯の先端で燃える炎（この炎を本文中、主光源ということもある。）と鏡面に映し出されたの炎（この炎を本文中、副光源ということもある。）とが、恰も多数本の蝋燭が燃えて光を放っている状態に見え、全体的には本数倍の明るさで発光しているように見える。そしてこの場合、副光源は、鏡面の角度の関係で、微風を受けて揺れ動く主光源とは異なる微妙な揺れ方及び光り方をする。要するに、結果として、主光源及び副光源は、鑑賞者に対して、それぞれ異なる動き方、光り方でアピールする。【００１０】  しかも、このようにアピールする主光源及び副光源は、蝋燭が短くなるに従って蝋燭用燃焼補助具主体と一緒に自動的に下降するので、これに合わせて目の位置も低く移動させて見る方向を全く変えないようにすれば、理論的には、これら主光源、副光源は一定の位置関係に保たれる。つまり、主光源と副光源とは、蝋燭の長さには関係なく、一定の位置関係を保って複数発光しているような状況（このような状況を本文中では、複数発光状態ということもある）を作り出すように機能する。【００１１】  そして、上記の複数発光状態は、近くでは多数個がそれぞれ発光しているように観察されるが、遠くから見た場合には光る大きな一つの塊（光源）に見え、観察者の目には付き易くなる。【００１２】  また、主光源の炎は、周知のとおり揺れ方や光りの強さが常に微妙に変化し不定であり且つ主光源及び副光源の位置関係は鑑賞者の目の位置がよくよく変わるので、結果として主光源及び副光源は、光の強弱変化及び光の揺れ方変化等において千変万化して鑑賞者を楽しませることができる。【００１３】  さらに、請求項１に係る蝋燭用燃焼補助具は、後述するように容器に入った蝋燭をした場合には溶融蝋の垂れがなく体裁がよく、また請求項２に係る蝋燭用燃焼補助具は、蝋燭が短くなるに従って自動的（若しくは人為的）に下降するので、溶融蝋の垂れがなく体裁がよい。【００１４】  請求項３に係る蝋燭用燃焼補助具は、請求項２記載の蝋燭用燃焼補助具に関し、上記鏡面部は、鏡面が複数の傾斜鏡面若しくは凹凸鏡面をもつことを特徴とする。【００１５】  したがって、傾斜鏡面の数、凹凸鏡面の数が少なくされた鏡面部材を用いた場合には、上記複数発光状態を形成する発光単位の数が少なくなり、反対に多い鏡面部材を用いた場合には多くなる。この場合、傾斜鏡面の形状、凹凸鏡面の形状は任意に選定して製造でき、種々の構成のものが自由に提供でき、その提供は後述するような鏡面膜をもつ厚紙等に打ち抜き加工を施す等に加工法で容易にできる。なお、当該加工法に限定されるものではなく鏡面をもつ金属板やプラスチック材等��も容易且つ安価に提供できる。【００１６】  請求項４に係る蝋燭用燃焼補助具は、請求項１〜３のいずれか１つに記載の蝋燭用燃焼補助具に関し、上記鏡面部は、任意に交換して使用しうる多数種類の鏡面部材の装着により構成されたことを特徴とする。【００１７】  したがって、ユーザーは任意に選択交換して好みの雰囲気を楽しむことが容易にできる利便さがある。【００１８】  請求項５に係る蝋燭用燃焼補助具は、請求項２〜４のいずれか一つに記載の蝋燭用燃焼補助具に関し、上記鏡面部材は、その下縁個所を挿み押える挿押部と燃焼補助具本体の内面、蝋燭本体の外面間に挿み込んで止める挿込部とから形成されたバネ材製の装着体により、燃焼補助具本体に対して装着されたことを特徴とする。【００１９】  したがって、燃焼補助具本体に対する鏡面部材の装着が容易にでき、使い勝手のよさに優れているものである。【００２０】  請求項６に係る蝋燭用燃焼補助具は、請求項５記載の蝋燭用燃焼補助具に関し、上記装着体は、挿込部及び挿押部が線条弾性材の折曲加工により構成されたことを特徴とし、また請求項７に係る蝋燭用燃焼補助具は、請求項５記載の蝋燭用燃焼補助具に関し、上記装着体は、板バネ材を二つ折りにしてその一方辺側が挿込部とされ他方辺側が挿押部とされたことを特徴とする。【００２１】  したがって、上記装着体は、簡単な加工で容易且つ安価に提供でき、本発明に係る完成品の簡略化及び低コスト化を可能にする。【００２２】  請求項８に係る蝋燭は、請求項２〜７に係る蝋燭用燃焼補助具を蝋燭本体の上端部に装着されて成ることを特徴とする。【００２３】  したがって、請求項２〜７による効果を備えた蝋燭を新規に提供できる。
【考案の効果】
【００２４】  本考案によれば、容器に入った蝋燭をすることにより、又は蝋燭が短くなるに伴い同蝋燭に案内されながら自動的に下降する（若しくは人為的に下降する）ことにより溶融蝋の垂れを防止する機能、及び前方から観賞する観賞者に対して炎の後ろ姿を複数個の光源として映し出す機能をもつ蝋燭用燃焼補助具及び当該補助具付き蝋燭を提供できる。【００２５】  また、本発明にあって主光源の炎は、揺れ方や光りの強さが常に微妙に変化し不定であり且つ主光源及び副光源の位置関係は鑑賞者の目の位置でよくよく変わるので、結果として主光源及び副光源は、光の強弱変化及び光の揺れ方変化等において千変万化して鑑賞者を楽しませることができる。【００２６】  したがって、本発明に係る蝋燭用燃焼補助具及び当該補助具付き蝋燭によれば、鑑賞者が炎を観賞しているときには、主光源及び副光源は、光の強弱変化及び光の揺れ方変化等において千変万化して、鑑賞者に対して、それぞれ異なる動き方、光り方でアピールでき、しかも、近くからの観賞では多数本がそれぞれ発光しているように、遠くからの観賞では光る大きな一つの塊（光源）が発光しているように観察できるので、観賞者の目には付き易く、衆目を集める機能に優れ、抜群の関心度昂揚効果を発揮できる。【００２７】  請求項３又は請求項８に係る蝋燭用燃焼補助具及び当該補助具付き蝋燭によれば、傾斜鏡面の数、凹凸鏡面の数が少なくされた鏡面部材を用いた場合には、上記複数発光状態を形成する発光単位の数が少なくなり、反対に多い鏡面部材を用いた場合には多くなるので、この場合、傾斜鏡面の形状、凹凸鏡面の形状は任意に選定でき、種々の構成のものが自由に提供でき、その提供は後述するような鏡面膜をもつ厚紙等に打ち抜き加工等を施すことで容易にできる。【００２８】  請求項４又は請求項８に係る蝋燭用燃焼補助具及び当該補助具付き蝋燭によれば、装着する鏡面部材を任意に交換して使用しうるようになるので、ユーザーは任意に選択交換して雰囲気を楽しむことができる。【００２９】  請求項５又は請求項８に係る蝋燭用燃焼補助具及び当該補助具付き蝋燭によれば、上記鏡面部材は、その下縁個所を挿み押える挿押部と燃焼補助具本体の内面、蝋燭本体の外面間に挿み込んで止める挿込部とから形成されたバネ材製の装着体により、燃焼補助具本体に対する鏡面部材の装着が容易にできる。【００３０】  請求項６又は７又は請求項８に係る蝋燭用燃焼補助具及び当該補助具付き蝋燭によれば、上記装着体は、簡単な加工で容易且つ安価に提供でき、本発明に係る完成品の簡略化及び低コスト化ができる。【００３１】  さらに、本発明は、上記のとおり、花火を使用する必要はなく、また全体として簡略な少ない部品を使用しているものであるので、構成が容易で製造の困難性がなく若しくは少なく、上記の経済性、利便性、安全性、保存性等に係る問題を完全若しくは充分に解消できる。
【考案を実施するための最良の形態】
【００３２】  本考案の第１実施の形態に係る蝋燭用燃焼補助具付き蝋燭を図１〜図５に基づいて説明する。図１は全体を示す斜視図であり、図２は同じく平面図であり、図３は要部を示す拡大後方斜視図であり、図４は図３Ａ−Ａ線に沿う拡大断面図であり、図５は装着体を示す斜視図である。【００３３】  この第１実施の形態に係る蝋燭用燃焼補助具付き蝋燭１は、前方から観賞する観賞者に対して炎の後ろ姿を複数個の光源として映し出す鏡面部材２を蝋燭用燃焼補助具３に装着体４を用いて着脱自在に取付け、この蝋燭用燃焼補助具３を蝋燭本体５の上端に嵌着したものである。【００３４】  上記鏡面部材２は、厚紙の表面に金属箔を張り合わせた材料をハート型にカットすると共に縦中央線７のところを「く」の字に曲げて構成したものであり、光源として映し出す左右１対の傾斜鏡面６ａ，６ｂをもつものである。なお、この鏡面部材２の形は、上記ハート型に拘る必要はなく、記念になるような特別の形であってもよく、形は自由である。【００３５】  また、上記蝋燭用燃焼補助具３は、燃焼して短くなるに伴い蝋燭本体５に案内されながら自動的に下降することにより溶融蝋の垂れを防止するようにされたものであって、不燃性の合成樹脂を以て蝋燭本体５の外周面に内周面が接して自重の力では下降しない内周径寸法にされた、上下両端開放の短い円筒状を呈する環状部８と、この環状部８の上端縁に内周径が漸次縮径する形状として延設された、蝋燭頂端外周部への係止機能および蝋溜まり部９の形成機能を果す延長部１０とから構成されている。【００３６】  上記の蝋燭用燃焼補助具３は、蝋燭の減り具合に合わせて、時折人為的に下降させる構成にすることができる。【００３７】  また、上記装着体４は、燃焼補助具３の内面と蝋燭本体５の外面との間に挿み込んで止める挿込部１２、及び燃焼補助具３の外面とで鏡面部材２の下縁個所を挿み押える挿押部１３から形成され、これら挿込部１２、挿押部１３は、線条弾性材の折曲加工により構成されているものである。すなわち、線条弾性材１４を略Ｖの字状に折り曲げ且つその両辺１５、１６を内側にＵの字状に折り曲げて当該両Ｕの字状部１７、１８の内側辺１９、２０を当接状態にしたものである。なお、図中符号２２は、鏡面部材２の挿し込み操作を容易にするガイド部を示し、２３は外れにくくする折り曲げ部を示す。【００３８】  次いで、本考案の第２実施の形態に係る蝋燭用燃焼補助具付き蝋燭２５を図６〜図１０に基づいて説明する。図６は全体を示す斜視図であり、図７は同じく平面図であり、図８は要部を示す拡大後方斜視図であり、図９は図８Ｂ−Ｂ線に沿う断面図であり、図１０は装着体を示す斜視図である。【００３９】  この第２実施の形態に係る蝋燭用燃焼補助具付き蝋燭２５は、上記第１実施の形態に係る蝋燭用燃焼補助具付き蝋燭１と略同じ構成にされているものであるので、同一の部位には同じ符号を付してその説明を省略し、異なる部位、具体的には鏡面部材２６及び装着体２７について次に説明することにする。【００４０】  すなわち、鏡面部材２６は、光源として映し出す４面の傾斜鏡面２８ａ，２８ｂ，２８ｃ，２８ｄを折れ線２９のところで僅かに曲げて設けたものであり、また装着体２７は細幅の板バネ材を二つ折りにしてその一方辺側が挿込部３０とされ他方辺側が挿押部３１とされたものである。なお、図中符号３２は、鏡面部材２６の挿し込み操作を容易にする丸め部を示し、３３は外れにくくする折り曲げ部を示す。【００４１】  図１１は、第３実施の形態に係る蝋燭用燃焼補助具を示す。この第３実施の形態に係る蝋燭用燃焼補助具３５は、光源として映し出す４面の傾斜鏡面３６ａ，３６ｂ，３６ｃ，３６ｄを折れ線３７のところで僅かに曲げて設けた鏡面部材３８を台座部３９に挿し立てた構成にしてあり、台座部３９には、上記鏡面部材３８の挿し立て孔４０と、容器４１入り蝋燭４２を落とし込み状態で交換自在に置くための凹孔４３が設けられているものである。上記容器４１入り蝋燭４２を置く個所は、皿状若しくは平らにすることで実施することができ、また台座部３９には彫刻等模様、記念文字、コマーシャル、社名等を設けて豪華にすることは任意である。【００４２】  本発明にあって鏡面部は、前方から観賞する観賞者に対して炎の後ろ姿を複数個の光源として映し出すものであれば足りるので、上記鏡面部材２、２６、３５のみに限定されるものではなく、たとえばミラーボールのように数多くの小さな傾斜鏡面部をもつ鏡面部材や、多数の凹、凸鏡面部をもつ鏡面部材、その他構成の鏡面部材であればよい。なお、これら小さな傾斜鏡面部、凹凸鏡面部に映し出される副光源群は、主光源の炎が揺れるとこれにならい一斉に揺れ動いて、一見、オーロラのような幻想的な美しい発光状態を現出するようにしてもよい。【００４３】  また、本発明にあって装着体は、蝋燭用燃焼補助具に鏡面部材を装着する機能を果たすものであれば、蝋燭用燃焼補助具本体に溝を設けてこれに鏡面部材を挿し込んで止める形式、蝋燭用燃焼補助具本体に挟み止め部を一体に設けてこれに鏡面部材を挟み止める形式、その他の装着手段でもよいことはいうまでもない。
【図面の簡単な説明】
【００４４】
【図１】第１実施の形態を示す全体の斜視図である。
【図２】同じく平面図である。
【図３】要部を示す拡大斜視図である。
【図４】図３Ａ−Ａ線に沿う断面図である。
【図５】装着具４を示す斜視図である。
【図６】第２実施の形態を示す全体の斜視図である。
【図７】同じく平面図である。
【図８】要部を示す拡大斜視図である。
【図９】図８Ｂ−Ｂ線に沿う断面図である。
【図１０】装着具２７を示す斜視図である。
【図１１】第３実施の形態を示す全体の斜視図である。
【符号の説明】
【００４５】  １  第１実施の形態に係る蝋燭用燃焼補助具付き蝋燭
１０１、１０２、１０３  炎
２  鏡面部材
３  蝋燭用燃焼補助具
４  装着体
５  蝋燭本体
６ａ，６ｂ  傾斜鏡面
７  縦中央線
８  環状部
９  蝋溜まり部
１０  延長部
１２  挿込部
１３  挿押部
１４  線条弾性材
１５、１６  両辺
１７、１８  Ｕの字状部
１９、２０  内側辺
２２  ガイド部
２３  折り曲げ部
２５  第２実施の形態に係る蝋燭用燃焼補助具付き蝋燭
２６  鏡面部材
２７  装着体
２８ａ，２８ｂ，２８ｃ，２８ｄ  傾斜鏡面板
２９  折れ線
３０  挿込部
３１  挿押部
３２  丸め部
３３  折り曲げ部
３５  第２実施の形態に係る蝋燭用燃焼補助具
３６ａ，３６ｂ，３６ｃ，３６ｄ  傾斜鏡面板
３７  折れ線
３８  鏡面部材
３９  台座部
４０  挿し立て孔
４１  容器
４２  蝋燭
４３  凹孔
【図１】
0003116178.tif 000003
【図２】
0003116178.tif 000004
【図３】
0003116178.tif 000005
【図４】
0003116178.tif 000006
【図５】
0003116178.tif 000007
【図１０】
0003116178.tif 000008
【図６】
0003116178.tif 000009
【図７】
0003116178.tif 000010
【図８】
0003116178.tif 000011
【図９】
0003116178.tif 000012
【図１１】
0003116178.tif 000013